(57)【特許請求の範囲】
【請求項１】
ワイヤレス通信のために構成されるネットワークエンティティによって動作可能な方法であって、
第1の無線アクセス技術(RAT1)を使用して第1のモードで動作するステップであって、前記第1のモードで動作することが無認可帯域上で通信することを含む、ステップと、
前記第1のモードである間、少なくとも1つのモバイルデバイスに対する、またはモバイルデバイスからの干渉についての干渉測定値を収集するステップと、
第2のモードに切り替え、第2の無線アクセス技術(RAT2)を使用するステップと、
チャネルの優先度リストから、通信のための前記無認可帯域におけるチャネルを選択することによって、前記第2のモードの前記ネットワークエンティティによって引き起こされる、または経験される干渉を低減するために、前記第1のモードからの前記干渉測定値を使用するステップであって、前記チャネルの優先度リストにおける各チャネルは、優先度順でチェックされ、かつ、前記チャネルの優先度リストから、受信信号強度インジケータ(RSSI)メトリックおよびデューティサイクルメトリックに基づいて干渉基準を満たす第1のチャネルが選択される、ステップと
を含む方法。
【請求項２】
前記第1のモードでの前記干渉測定値を収集するステップが、802.11k上でWi-Fiを使用するステップを含む、請求項1に記載の方法。
【請求項３】
前記第1のモードでの前記干渉測定値を収集するステップが、基準信号受信電力(RSRP)/基準信号受信品質(RSRQ)を変更することによってロングタームエボリューション(LTE)を使用するステップを含む、請求項1に記載の方法。
【請求項４】
前記収集された干渉測定値からデータベースを構築するステップをさらに含み、前記データベースが、無認可帯域のチャネル上のLTE通信について前記ネットワークエンティティによって経験される干渉レベルに関する情報を含む、請求項1に記載の方法。
【請求項５】
前記第1のモードで動作するステップが、前記無認可帯域上でWi-Fiを介して通信するステップを含み、
前記第2のモードで動作するステップが、LTEを介して前記無認可帯域のチャネル上で前記モバイルデバイスのうちの1つまたは複数と通信するステップを含む
請求項4に記載の方法。
【請求項６】
前記干渉測定値を収集するステップが、(a)前記干渉測定値を直接測定するステップ、または(b)前記モバイルデバイスのうちの1つまたは複数から前記干渉測定値を受信するステップを含む、請求項4に記載の方法。
【請求項７】
前記干渉測定値が、RSSIに基づく、請求項1に記載の方法。
【請求項８】
前記ネットワークエンティティが、Wi-Fiアクセスポイントと同じ場所に配置される近隣スモールセル(NSC)を含む小規模基地局を含む、請求項1に記載の方法。
【請求項９】
前記ネットワークエンティティが、(a)スタンドアロン無認可帯域において動作する、または(b)キャリアアグリゲーションモードで認可帯域と無認可帯域の両方で動作するように構成される、請求項1に記載の方法。
【請求項１０】
ネットワークエンティティにおける装置であって、
第1の無線アクセス技術(RAT1)を使用して第1のモードで動作するための手段であって、前記第1のモードで動作することが無認可帯域上で通信することを含む、手段と、
前記第1のモードである間、少なくとも1つのモバイルデバイスに対する、またはモバイルデバイスからの干渉についての干渉測定値を収集するための手段と、
第2のモードに切り替え、第2の無線アクセス技術(RAT2)を使用するための手段と、
チャネルの優先度リストから、通信のための前記無認可帯域におけるチャネルを選択することによって、前記第2のモードの前記ネットワークエンティティによって引き起こされる、または経験される干渉を低減するために、前記第1のモードからの前記干渉測定値を使用するための手段であって、前記チャネルの優先度リストにおける各チャネルは、優先度順でチェックされ、かつ、前記チャネルの優先度リストから、受信信号強度インジケータ(RSSI)メトリックおよびデューティサイクルメトリックに基づいて干渉基準を満たす第1のチャネルが選択される、手段と
を含む装置。
【請求項１１】
前記収集された干渉測定値からデータベースを構築するための手段をさらに含み、前記データベースが、無認可帯域のチャネル上のLTE通信について前記ネットワークエンティティによって経験される干渉レベルに関する情報を含む、請求項10に記載の装置。
【請求項１２】
請求項1乃至9のいずれか1項に記載の方法をコンピュータに実行させるためのコードを含むコンピュータ可読記憶媒体。
【発明の詳細な説明】
【技術分野】
【０００１】
本開示の態様は、一般に、ワイヤレス通信システムに関し、より詳細には、無認可帯域上の非セルラー通信に対する干渉を低減することに関する。
【背景技術】
【０００２】
ワイヤレス通信ネットワークは、音声、ビデオ、パケットデータ、メッセージング、ブロードキャストなどの様々な通信サービスを提供するために広く配置されている。これらのワイヤレスネットワークは、利用可能なネットワークリソースを共有することによって複数のユーザをサポートすることのできる多元接続ネットワークであり得る。そのような多元接続ネットワークの例には、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークがある。
【０００３】
ワイヤレス通信ネットワークは、たとえばユーザ機器(UE)またはアクセス端末(AT)など、いくつかのモバイルエンティティ/デバイスの通信をサポートすることができる、たとえば基地局など、いつかのネットワークエンティティを含むことができる。モバイルデバイスは、ダウンリンクおよびアップリンクを介して基地局と通信し得る。ダウンリンク(または順方向リンク)とは、基地局からUEへの通信リンクを指し、アップリンク(または逆方向リンク)とは、UEから基地局への通信リンクを指す。
【０００４】
第3世代パートナーシッププロジェクト(3GPP)ロングタームエボリューション(LTE)は、セルラー技術における主要な進歩をGlobal System for Mobile communications(GSM(登録商標))およびUniversal Mobile Telecommunications System(UMTS)の進化として表す。LTE物理レイヤ(PHY)は、進化型ノードB(eNB)などの基地局とUEなどのモバイルデバイスとの間でデータと制御情報の両方を運ぶための非常に効率的な方法を提供する。
【発明の概要】
【発明が解決しようとする課題】
【０００５】
たとえばフェムトセルまたは類似のスモールセルなど、近隣スモールセル(NSC)の配置が増加するにつれて、認可スペクトルを求める要求が増加し、これはスペクトル不足を生じさせる可能性がある。無認可スペクトル(たとえば、5GHz)上にNSCを配置することは、増加したスペクトルの要求に応じる際の大きい可能性を発揮する可能性がある。LTEが無認可スペクトルにおけるIEEE802.11(Wi-Fi)と比較して、より高いスペクトル効率を提供することができることにさらに留意されたい。しかしながら、無認可スペクトルにおけるNSCの配置は、無認可帯域上の非セルラー通信に対する干渉を引き起こし得る。これに関連して、無認可帯域上に配置されるNSCによる干渉を低減するための技法の必要性が残る。
【課題を解決するための手段】
【０００６】
図面に示される本開示の例示的態様が以下で要約される。これらおよび他の態様が、詳細な説明のセクションでより完全に説明される。しかしながら、本開示は、この概要または詳細な説明で説明される形態に限定されないことを理解されたい。
【０００７】
本明細書で説明する1つまたは複数の態様によれば、ネットワークエンティティ(たとえば、NSC)またはその構成要素によって動作可能な干渉管理のための方法が提供される。この方法は、第1の無線アクセス技術(RAT1)を使用して第1のモードで動作するステップを伴い得る。この方法は、第1のモードである間、少なくとも1つのモバイルデバイスに対する、またはモバイルデバイスからの干渉についての干渉測定値を収集するステップを伴い得る。この方法は、第2のモードに切り替え、第2の無線アクセス技術(RAT2)を使用するステップをさらに伴い得る。この方法は、第2のモードのネットワークエンティティによって引き起こされる、または経験される干渉を最小化するために第1のモードからの干渉測定値を使用するステップも伴い得る。
【０００８】
関係する態様では、この方法は、802.11k上でWi-Fiを使用することによって、第1のモードでの干渉測定値を収集するステップを伴い得る。さらに関係する態様では、この方法は、基準信号受信電力(RSRP)/基準信号受信品質(RSRQ)を変更することによってLTEを使用して第1のモードでの干渉測定値を収集するステップを伴い得る。
【０００９】
またさらなる関係する態様では、この方法は、収集された干渉測定値からデータベースを構築するステップであり、データベースは、無認可帯域のチャネル上のLTE通信についてネットワークエンティティによって経験される干渉レベルに関する情報を含む、ステップと、ネットワークエンティティによって引き起こされる、または経験される干渉を最小化するために無認可帯域の選択されたチャネルを選択し、その上で通信するステップとを伴い得る。
【００１０】
またさらなる関係する態様では、この方法は、受信信号強度インジケータ(RSSI)メトリックまたはデューティサイクルメトリックに少なくとも部分的に基づいて干渉基準を定義するステップと、選択されたチャネルが干渉基準を満たすことに応答して選択されたチャネルを選択するステップとを伴い得る。他の関係する態様では、電子デバイス(たとえば、NSC、UE、またはそれらの構成要素)が、上記で説明した方法を実行するように構成され得る。
【００１１】
上記の目的および関連する目的の達成に対して、1つまたは複数の実装形態は、以下で十分に記載され、特許請求の範囲で具体的に指摘される特徴を含む。以下の説明および添付の図面は、1つまたは複数の実装形態のいくつかの例示的な態様について詳細に説明する。しかしながら、これらの態様は、様々な実装形態の原理が採用され得る様々な方法のうちのほんのいくつかしか示しておらず、記載される実装形態は、そのようなすべての態様およびそれらの均等物を含むものとする。
【図面の簡単な説明】
【００１２】
【図１Ａ】電気通信システムの一例を概念的に示すブロック図である。
【図１Ｂ】例示的デュアル機能(dual-capability)基地局を示す図である。
【図１Ｃ】LTE-U(無認可帯域において動作しているLTE) SC(スモールセル)での干渉をもたらす無認可スペクトルにおけるシナリオを示す図である。
【図１Ｄ】UEでの干渉をもたらす無認可スペクトルのシナリオを示す図である。
【図２】本開示の一態様により構成される、基地局およびUEの設計を概念的に示すブロック図である。
【図３】無認可スペクトル上の非セルラー通信に対する干渉を低減するための干渉管理のための例示的な方法を示す図である。
【図４Ａ】チャネル選択のための方法のさらなる例または態様を示す図である。
【図４Ｂ】チャネル選択のための方法のさらなる例または態様を示す図である。
【図５】図3〜図4Bの方法を実施するための例示的な装置を示す図である。
【発明を実施するための形態】
【００１３】
本開示は、ネットワークエンティティによる無認可帯域上の非セルラー通信(たとえば、ワイヤレスローカルエリアネットワーク(WLAN)通信)に対する干渉を低減するための技法に関する(たとえば、無認可帯域上でセルラー通信を送り/受信する近隣スモールセル(NSC)など)。NSCが、セルラーカバレージの向上を実現するためにマクロ基地局を配置することの代替を提供し得る。しかしながら、広範なNSC配置についての主な障害は、認可帯域上の利用可能なスペクトルの欠如である。無認可帯域上にNSCを配置することは、セルラーカバレージの向上のための大きな可能性を保持する。LTEなどのいくつかのセルラープロトコルは、Wi-Fiなどの非セルラーまたはWLANプロトコルと比較して、より高いスペクトル効率およびカバレージを提供することに留意されたい。しかしながら、無認可帯域内のNSCの配置は、無認可帯域上の非セルラー(たとえば、Wi-Fi)通信を中断させ、またはそれに対する干渉を引き起こし得る。
【００１４】
一例では、WLANアクセスポイント(AP)と同じ場所に配置されるNSCを含むネットワークエンティティ(たとえば、小規模基地局)が設けられる。同じ場所に配置されたWLAN APは、802.11kフレームワークなどを使用して他のチャネル上のすべての関連のモバイルデバイスに測定値を問い合わせることができる。モバイルデバイスは、測定された実際のWi-Fi干渉に基づいて、基準信号受信電力(RSRP)/基準信号受信品質(RSRQ)周波数間測定値を変更することができる。
【００１５】
添付の図面に関して以下に記載する詳細な説明は、様々な構成の説明として意図されており、本明細書で説明する概念が実践され得る構成のみを表すことは意図されていないことに留意されたい。詳細な説明は、様々な概念の完全な理解を与える目的で特定の詳細を含む。しかしながら、これらの特定の詳細なしに概念が実施され得ることは当業者には明らかであろう。いくつかの例では、そのような概念を不明瞭にすることを避けるために、周知の構造および構成要素がブロック図形式で示される。
【００１６】
本明細書で説明される技法は、CDMA、TDMA、FDMA、OFDMA、SC-FDMA、および他のネットワークなどの様々なワイヤレス通信ネットワークのために使用され得ることにさらに留意されたい。「ネットワーク」および「システム」という用語は互換的に使用されることが多い。CDMAネットワークは、ユニバーサル地上無線アクセス(UTRA)、CDMA2000などの無線技術を実装し得る。UTRAは、広帯域CDMA(WCDMA(登録商標))およびCDMAの他の変形を含む。CDMA2000は、IS-2000規格、IS-95規格およびIS-856規格を包含する。TDMAネットワークは、モバイル通信用グローバルシステム(GSM(登録商標))などの無線技術を実装し得る。OFDMAネットワークは、Evolved UTRA(E-UTRA)、Ultra Mobile Broadband(UMB)、IEEE802.11(Wi-Fi)、IEEE802.16(WiMAX)、IEEE802.20、Flash-OFDMAなどの無線技術を実装し得る。UTRAおよびE-UTRAは、ユニバーサルモバイル通信システム(UMTS:Universal Mobile Telecommunication System)の一部である。3GPP LTEおよびLTE-Advanced(LTE-A)は、E-UTRAを使用するUMTSの新たなリリースである。UTRA、E-UTRA、UMTS、LTE、LTE-A、およびGSM(登録商標)は、「第3世代パートナーシッププロジェクト」(3GPP:3rd Generation Partnership Project)という名称の組織からの文書に記載されている。CDMA2000およびUMBは、「第3世代パートナーシッププロジェクト2」(3GPP2)という名称の組織からの文書に記載されている。本明細書で説明される技法は、前述のワイヤレスネットワークおよび無線技術、ならびに他のワイヤレスネットワークおよび無線技術のために使用され得る。明快のために、技法のいくつかの態様が、LTEについて以下で説明され、以下の説明の多くでは、LTEの専門用語が用いられる。
【００１７】
図1Aは、LTEネットワークなどであり得る例示的ワイヤレス通信ネットワーク100を示す。ワイヤレスネットワーク100は、いくつかの基地局110(たとえば、進化型ノードB(eNB)、NSCなど)および他のネットワークエンティティを含み得る。基地局は、UEと通信するステーションであり得、ノードB、AP、または他の用語で呼ばれることもある。各eNB110a、110b、110cは、特定の地理的エリアについての通信カバレージを提供し得る。3GPPでは、「セル」という用語は、用語が使用される文脈に応じて、eNBのカバレージエリアおよび/またはこのカバレージエリアにサービスするeNBサブシステムを指すことがある。
【００１８】
eNBは、マクロセル、ピコセル、フェムトセル、および/または他のタイプのセルのための通信カバレージを提供することができる。マクロセルは、比較的大きい地理的エリア(たとえば、半径数キロメートル)をカバーし得、サービスに加入しているUEによる無制限のアクセスを可能にし得る。ピコセルは、比較的小さい地理的エリアをカバーすることができ、サービスに加入しているUEによる無制限のアクセスを可能にし得る。フェムトセルは、比較的小さい地理的領域(たとえば、自宅)をカバーすることができ、そのフェムトセルとの関連性を有するUE(たとえば、限定加入者グループ(CSG: Closed Subscriber Group)内のUE、自宅内のユーザのUEなど)による制限されたアクセスを可能にし得る。ピコセルおよびフェムトセルはNSCの例であることに留意されたい。
【００１９】
マクロセル用のeNBはマクロeNBと呼ばれることがある。ピコセル用のeNBはピコeNBと呼ばれることがある。NSCのためのeNBは、NSC eNBまたはホームeNB(HNB)と呼ばれることがある。図1に示される例では、eNB110a、110b、および110cは、それぞれマクロセル102a、102b、および102cのためのマクロeNBであり得る。
【００２０】
eNB110xは、UE120xにサービスする、NSC102xのためのNSC eNBであり得る。この例では、eNB110xは、eNB110a、110b、および110cと同様に、認可を受けた帯域内で動作する。対照的に、基地局112は無認可帯域内で動作し、サービスエリア105内のWi-Fiカバレージを提供するために、NSC103のためのNSC eNBモジュールと、WLAN APモジュールの両方を含む。UE125がカバレージエリア105内にあり、Wi-Fiのために構成される(すなわち、Wi-Fi無線モジュールを含む)と仮定して、デュアル機能基地局112は、NSC103またはWi-Fiのどちらかを介して、無認可帯域内で動作するように構成されるUE125にサービスし得る。
【００２１】
例示的デュアル機能基地局112が図1Bに示されている。たとえば、NSC無線モジュール130およびWLAN無線モジュール140が、同じ場所に配置され得る。
【００２２】
任意選択で、基地局112は、NSC無線モジュール130およびWLAN無線モジュール140と動作可能に通信し、モジュール130、140、および/またはそれらの構成要素の活動を調整するコントローラモジュール113を含み得る。
【００２３】
関連する態様では、NSC無線モジュール130は、送信機(TX)構成要素132、受信機(RX)構成要素134、プロセッサ構成要素136、および干渉測定構成要素138を含み得、各構成要素は、互いに動作可能に通信する。干渉測定構成要素138は、少なくとも1つのモバイルデバイスに対する、またはモバイルデバイスからの干渉についての干渉測定値を収集する、またはその収集を調整することができ、収集された干渉測定値のデータベースを含むことができる。
【００２４】
NSC無線モジュール130は、図2の左側に示される基地局110の構成要素のうちの1つまたは複数を含み得る。WLAN無線モジュール140は、TX構成要素142、RX構成要素144、およびプロセッサ構成要素146を含み得、各構成要素は、互いに動作可能に通信する。さらに関係する態様では、WLAN無線モジュール140が起動されると、構成要素132〜138のうちの1つまたは複数は、干渉測定値を収集するように構成され得る。またさらなる関係する態様では、構成要素142〜146のうちの1つまたは複数は、図3〜図4Bに示され、以下にさらに詳しく説明される例示的な方法に従って、WLAN無線モジュール140が起動される間に、基地局によって引き起こされる、または経験される干渉を最小化するように構成され得る。
【００２５】
基地局112は当初、WLAN APとして動作し、無認可帯域のチャネル上で通信するモバイルデバイスから干渉測定値を収集し得る。基地局112は、収集された干渉測定値からデータベースを構築し、データベース内の情報をx2リンクなどを介して他の小規模基地局と共有することができる。代替または追加として、中央集中型コントローラは、基地局の位置とともに、基地局(たとえば、スモールセル)からそのような情報を収集し、チャネル選択についてのフィードバック決定を行い、各基地局に送ることができる。たとえば、基地局112は、次いで、無認可帯域におけるLTEスモールセルとして動作し、基地局112によって引き起こされる、または経験される干渉を最小化するために、データベース内の情報を使用して、無認可帯域の所与のチャネルを選択し、その上で通信することができる。
【００２６】
再び図1Aを参照すると、ネットワーク100は、Wi-Fi AP無線などと同じ場所に配置される、LTE-U(無認可帯域において動作しているLTE)スモールセル(SC)115も含み得る。LTE-U SC115は無認可帯域内で動作し、サービスエリア104内のWi-Fiカバレージを提供する。LTE-U SC115は、カバレージエリア104内にあり、Wi-Fiのために構成された(すなわち、Wi-Fi無線モジュールを含む)UE125のためのWi-Fiサービスを提供し得る。UE125は、同時に無認可帯域103およびカバレージエリア104内のスモールセル(たとえば、フェムトセルまたはピコセル)と動作可能に通信している可能性があり、無認可帯域においてセルラー通信と非セルラー通信の両方が可能であり得る。
【００２７】
ネットワークコントローラ130は、eNBのセットに結合し、これらのeNBのための調整および制御を実現し得る。ネットワークコントローラ130は、バックホールを介してeNB110と通信することができる。eNB110はまた、たとえば、直接的に、またはワイヤレスもしくはワイヤーラインバックホールを介して間接的に、互いに通信し得る。
【００２８】
UE120は、ワイヤレスネットワーク100を全体にわたって分散し得、各UEは静止しており、またはモバイルであり得る。UEはまた、端末、移動局、サブスクライバユニット、ステーションなどと呼ばれることもある。UEは、携帯電話、携帯情報端末(PDA)、ワイヤレスモデム、ワイヤレス通信デバイス、ハンドヘルドデバイス、ラップトップコンピュータ、コードレス電話、ワイヤレスローカルループ(WLL)局、または他のモバイルデバイスであり得る。図1Aでは、両端に矢印の付いた実線は、UEとサービングeNBとの間の所望の伝送を示し、サービングeNBは、ダウンリンクおよび/またはアップリンク上でUEにサービスするように指定されたeNBである。両端に矢印の付いた破線は、UEとeNBとの間の干渉する伝送を示す。
【００２９】
LTE-U SCでの干渉:  図1Cを参照すると、無認可帯域150内で、Wi-Fiデバイス(たとえばAP156またはSTA158)は、UE152から隠され得、LTE-U SC154とのLTE-Uアップリンク(UL)通信に干渉し得る。そのようなシナリオは、たとえば1次コンポーネントキャリア(PCC)上で送られるPUCCH/PRACHなど、PUSCHパフォーマンスに影響を及ぼすことになる。PUCCH/PRACHは、干渉問題を回避するために、PCC上で送られ得る。
【００３０】
UEでの干渉:  図1Dを参照すると、無認可帯域160内で、Wi-Fiデバイス(たとえばAP166またはSTA168)は、LTE-U SC162から隠され得、UE164とのLTE-Uダウンリンク(DL)通信に干渉し得る。LTE-Uダウンリンク通信に対するそのような干渉(INTF)は、1次同期信号(PSS)/2次同期信号(SSS)に影響を及ぼす可能性があり、それによって、一般に同期に影響を及ぼす。平均化は、同期に対する影響を低減するのを助けることができ、PSS/SSSが狭帯域であるので、無認可帯域内のスモールセルは、必要に応じてその電力を高めることができる。LTE-Uダウンリンク通信に対する干渉は、PDCCHパフォーマンスに影響を及ぼし得る。クロスキャリアスケジューリングは、PCC上で許可を送るために実施され得、同様に、PBCHは、頑強さのためにPCC上で送られ得る。Wi-Fiダウンリンク通信に対する干渉は、PDSCHパフォーマンスに影響を及ぼし得、測定値に影響を及ぼし得(たとえば、RSRP/RSRQは損なわれ得、および/またはWi-Fi干渉を正しく反映することができない)、セル固有の基準信号(CRS)がすべてのWi-Fi干渉を捕捉しない可能性があるとすれば、チャネル品質表示(CQI)の不整合をもたらし得る。
【００３１】
LTE-Uチャネル選択:  LTE-Uチャネル選択の1つの手法では、ネットワークエンティティ(たとえば、無認可帯域内のLTEスモールセルなど)は、LTE-UとWi-Fiの両方のネットワークとは異なるチャネル上の干渉レベルおよびデューティサイクルを測定するために、ネットワークリッスンを実行することができる。1つの手法では、これは、各OFDMシンボル上にRSSI測定を行うことと、RSSI測定値に基づいて順序統計量を計算することとを伴い得る。同じ場所に配置されたAP測定値からの支援は、(たとえば、ビーコン、PLCPヘッダからのRSSIの測定など)Wi-Fi信号について固有であり得る。ネットワークリッスンは、周期的に実行され得る、または高いアップリンク/ダウンリンクPER、IoTパターン、CQIパターン、CQIバックオフなどに基づいてトリガされ得る。関係する態様では、PCCは、最善の利用可能なSCC、各トリガまたはチャネル選択期間を構成することができる。この手法は、無認可帯域内のスモールセルにおける干渉に対処するが、UEで経験される干渉には対処しない。
【００３２】
LTE-Uチャネル選択の別の手法では、ネットワークエンティティは、同一チャネルUE測定値およびチャネル状態情報(CSI)報告を利用することができる。これは、同一チャネル品質を推定し、チャネル選択をトリガするために、たとえばCQIパターン、基準信号受信品質(RSRQ)、および/またはレート制御外部ループバックオフなどのメトリックを結合することを伴い得る。しかしながら、RSRP/RSRQのような同一周波数UE測定値が他のチャネル上のWi-Fi干渉を捕捉しない可能性があることに留意されたい。関係する態様では、無認可帯域内のスモールセルは、X2リンクなどを介してチャネルの品質に関する情報を交換することができる。
【００３３】
LTE-Uチャネル選択のまた別の手法では、ネットワークエンティティは、たとえばPCC、SCC1、SCC2、…、SCCkなど、複数のSCCを使用することによって提供される干渉ダイバーシティに依存し得る。SCCは、ネットワークリッスン管理(NLM)などに基づいて選択され得る。所与のUEは、それがいかなるWi-Fi干渉も検出しない場合、すべての利用可能なSCC上でサービスされ得る。たとえばシステム定義の値など、所与の干渉しきい値を満たすまたは超えるWi-Fi干渉レベルを経験するために決定されたそれらのSCC上に、所与のUEは予定されないことになる。たとえば、決定は、チャネル品質インジケータ(CQI)、レート制御外部ループバックオフなどに少なくとも部分的に基づき得る。一例では、所与のUEが2つのSCCに関連付けられた両方のチャネル上の強いWi-Fiジャマーを有する確率が低いとすれば、2つのSCCは、干渉ダイバーシティには十分であり得る。
【００３４】
関係する態様では、所与のSCは、頑強さを向上させるために、より狭いPDSCHをスケジュールことができ、これは、隣接するチャネル干渉などからの影響を低減するのを助けることができる。しかしながら、低電力など、Unlicensed National Information Infrastructure(UNII)のための限定的な電力スペクトル密度制限がある。
【００３５】
LTE-Uチャネル選択のまた別の手法では、ネットワークエンティティは、Wi-Fiビーコン信号強度および/またはトレーニングシーケンスRSSIを測定することができ、Wi-Fiに高干渉を引き起こす可能性があるチャネル選択の優先度を解除する(すなわち、いくつかのWi-Fiチャネルを回避する)ことができる。
【００３６】
そのような非セルラー通信に対する干渉を低減する、または最小化する1つの手法は、無認可帯域上のいくつかのチャネル上に無認可帯域におけるスモールセルを集中させたままにするチャネル選択技法を実施することである。依然として、無認可帯域における非セルラー通信に対して引き起こされる干渉を低減するための改良されたチャネル選択技法の必要性は残る。
【００３７】
そのようなチャネル選択技法は、優先度でチャネルのリストを定義することを伴い得る。スモールセルは、優先度順に各チャネルを通過し、たとえばしきい値よりも低い受信信号強度インジケータ(RSSI)など、干渉基準を満たすものを選ぶことができる。別の例では、干渉基準は、RSSIおよび干渉のデューティサイクルを結合するメトリックでもよく、メトリックは、別の定義されたしきい値よりも低い。一例では、レート制御ループが第1の送信上の10%のブロック誤り率(BLER)を目標としている場合、10%のデューティサイクルを有するジャマーさえパフォーマンスに影響を与える可能性があることに留意されたい。
【００３８】
チャネルが基準を満たさない場合、スモールセルは、最少の干渉を有すチャネルを選ぶことができる。スモールセルは、たとえばWi-FiパケットまたはWi-Fiビーコンの物理レイヤコンバージェンスプロトコル(PLCP)ヘッダを検出することによって、RSSIに対するWi-Fiの寄与とRSSIに対するLTEの寄与との間をさらに区別することができる。Wi-FiからのRSSIの寄与は、LTEよりも高い重みが与えられ得る(すなわち、既存の干渉管理を活用するために、LTEと同一チャネルを選択することが好ましい可能性がある)。同じオペレータ/ユーザに属するサービスセット識別子(SSID)を有するWiFi基本サービスセット(BSS)は、(ビーコンを復号することによる)回避されるより高い重みがさらに与えられ得る。近隣スモールセルは、X2などを介してチャネルリスト上の測定値を交換することができる。
【００３９】
図2は、それぞれ図1の基地局(たとえば、110x、110y、110zなどのNSB)のうちの1つ、およびUEのうちの1つであり得る、基地局110およびUE120の設計のブロック図を示す。基地局110は、アンテナ234a〜234tを備えてもよく、UE120は、アンテナ252a〜252rを備えてもよい。
【００４０】
基地局110において、送信プロセッサ220は、データソース212からデータを受信し、コントローラ/プロセッサ240から制御情報を受信し得る。制御情報は、PBCH、PCFICH、PHICH、PDCCHなどについてのものであり得る。データは、PDSCHなどについてのものであり得る。プロセッサ220は、データおよび制御情報を処理し(たとえば、符号化およびシンボルマッピングし)、それぞれデータシンボルおよび制御シンボルを取得し得る。プロセッサ220はまた、たとえばPSS、SSS、およびセル特有の基準信号についての基準シンボルを生成し得る。送信(TX)多入力多出力(MIMO)プロセッサ230が、適用可能な場合、データシンボル、制御シンボル、および/または基準シンボルに対する空間処理(たとえば、プリコーディング)を実施し得、変調器(MOD)232a〜232tに出力シンボルストリームを提供し得る。各変調器232は、(たとえば、OFDMなどについての)それぞれの出力シンボルストリームを処理し、出力サンプルストリームを取得し得る。各変調器232は、出力サンプルストリームをさらに処理(たとえば、アナログに変換、増幅、フィルタ処理、およびアップコンバート)し、ダウンリンク信号を取得し得る。変調器232a〜232tからのダウンリンク信号が、それぞれアンテナ234a〜234tを介して送信され得る。
【００４１】
UE120において、アンテナ252a〜252rは、基地局110からダウンリンク信号を受信することができ、それぞれ、受信された信号を復調器(DEMOD)254a〜254rに提供することができる。各復調器254は、それぞれの受信された信号を調整(たとえば、フィルタリング、増幅、ダウンコンバート、およびデジタル化)して入力サンプルを取得することができる。各復調器254はさらに、(たとえば、OFDMなどのための)入力サンプルを処理して受信されたシンボルを取得することができる。MIMO検出器256は、すべての復調器254a〜254rから、受信されたシンボルを取得し、可能な場合には受信されたシンボルに対してMIMO検出を実行し、検出されたシンボルを提供することができる。受信プロセッサ258は、検出されたシンボルを処理(たとえば、復調、デインターリーブ、および復号)し、UE120のための復号されたデータをデータシンク260に提供し、復号された制御情報をコントローラ/プロセッサ280に提供し得る。
【００４２】
アップリンク上で、UE120において、送信プロセッサ264は、データソース262から(たとえば、PUSCHについての)データを受信および処理し、コントローラ/プロセッサ280から(たとえば、PUCCHについての)制御情報を受信および処理し得る。プロセッサ264はまた、基準信号についての基準シンボルを生成し得る。送信プロセッサ264からのシンボルは、TX MIMOプロセッサ266によりプリコーディングされ、可能な場合には、(たとえばSC-FDMなどのために)変調器254a〜254rによりさらに処理され、基地局110に送信され得る。基地局110において、UE120からのアップリンク信号は、アンテナ234により受信され、復調器232により処理され、可能な場合にはMIMO検出器236により検出され、受信プロセッサ238によりさらに処理されて、UE120により送られた、復号されたデータおよび制御情報を得ることができる。プロセッサ238は、復号されたデータをデータシンク239に提供し、かつ復号された制御情報をコントローラ/プロセッサ240に提供することができる。
【００４３】
コントローラ/プロセッサ240および280は、それぞれ基地局110およびUE120における動作を指示し得る。プロセッサ240ならびに/または基地局110における他のプロセッサおよびモジュールは、本明細書で説明される技法の様々な処理の実行を、実施または指示することができる。UE120におけるプロセッサ280ならびに/または他のプロセッサおよびモジュールも、図6および図7に示す機能ブロックの実行、および/または本明細書で説明する技法のための他のプロセスを実施または指示し得る。メモリ242および282は、それぞれ、基地局110およびUE120のためのデータおよびプログラムコードを記憶することができる。スケジューラ244は、ダウンリンクおよび/またはアップリンクにおけるデータ送信についてUEをスケジュールすることができる。
【００４４】
一構成では、基地局110および/またはUE120は、図3〜図4に示されるプロセスを実行するための手段を含み得る。一例では、上記の手段は、上記の手段によって具陳される機能を実行するように構成されたプロセッサ、コントローラ/プロセッサ280、メモリ282、受信プロセッサ258、MIMO検出器256、復調器254a、およびアンテナ252aであり得る。別の態様では、上述の手段は、上述の手段によって具陳された機能を実行するように構成されたモジュールまたは任意の装置であり得る。
【００４５】
本明細書で示し説明する例示的なシステムに鑑みて、開示する主題に従って実装することができる方法は、様々なフローチャートを参照することによってよりよく諒解されよう。説明を簡単にするために、方法を一連の行為/ブロックとして示し説明しているが、いくつかのブロックは、本明細書で図示し説明したものと異なる順序で行われ、かつ/または他のブロックと実質的に同時に行われ得るので、特許請求される主題は、ブロックの数もしくは順序によって限定されないことを理解および諒解されたい。さらに、本明細書で説明する方法を実装する上で示したブロックのすべてが必要であるとは限らない場合もある。各ブロックに関連する機能がソフトウェア、ハードウェア、それらの組合せ、または任意の他の適切な手段(たとえば、デバイス、システム、プロセス、もしくは構成要素)によって実装され得ることを諒解されたい。加えて、本明細書の全体にわたって開示される方法を製造品に記憶して、そのような方法を様々なデバイスにトランスポートし転送するのを促すことができることをさらに諒解されたい。方法は、代わりに、状態図においてなど、一連の相互に関係する状態またはイベントとして表すことができることを、当業者であれば理解し、諒解されよう。
【００４６】
図3を参照すると、たとえば図1A〜図1Bに示されるデュアル機能基地局112など、ネットワークエンティティで実行され得る方法300が示される。方法300は、310で、第1の無線アクセス技術(RAT1)を使用して第1のモードで動作するステップを伴い得る。方法300は、320で、第1のモードである間、少なくとも1つのモバイルデバイスに対する、またはモバイルデバイスからの干渉についての干渉測定値を収集するステップを伴い得る。方法300は、330で、第2のモードに切り替え、第2の無線アクセス技術(RAT2)を使用するステップを伴い得る。方法300は、340で、第2のモードのネットワークエンティティによって引き起こされる、または経験される干渉を最小化するために第1のモードからの干渉測定値を使用するステップも伴い得る。
【００４７】
図4A〜図4Bを参照すると、随意であり、方法300を実行することが必要ではない方法300のさらなる動作または態様が示される。方法300が図4-Bの少なくとも1つのブロックを含む場合、方法300は、例示され得る任意の次のダウンストリームのブロックを必ずしも含む必要はなく、少なくとも1つのブロックの後終了することができる。たとえば、第1のモードでの干渉測定値を収集するステップ(ブロック320)は、802.11k上のWi-Fiを使用するステップ(ブロック350)を伴い得る。
【００４８】
関係する態様では、第1のモードでの干渉測定値を収集するステップ(ブロック320)は、基準信号受信電力(RSRP)/基準信号受信品質(RSRQ)を変更することによってLTEを使用するステップ(ブロック360)を伴い得る。
【００４９】
またさらなる関係する態様では、方法300は、収集された干渉測定値からデータベースを構築するステップを伴い得、データベースは、無認可帯域のチャネル上のLTE通信についてネットワークエンティティによって経験される干渉レベルに関する情報を含む(ブロック370)。
【００５０】
方法300は、ネットワークエンティティによって引き起こされる、または経験される干渉を最小化するために無認可帯域の選択されたチャネルを選択し、その上で通信するステップを伴い得る(ブロック372)。方法300は、RSSIメトリックまたはデューティサイクルメトリックに少なくとも部分的に基づいて干渉基準を定義するステップ(ブロック374)と、選択されたチャネルが干渉基準を満たすことに応答して選択されたチャネルを選択するステップ(ブロック376)とを伴い得る。
【００５１】
またさらなる関係する態様では、第1のモードで動作するステップ(ブロック310)は、無認可帯域上のWi-Fiを介して通信するステップ(ブロック380)を伴い得、一方、第2のモードで動作するステップ(ブロック330および/または340)は、LTEを介して無認可チャネル上のモバイルデバイスの1つまたは複数と通信するステップ(ブロック382)を伴い得る。
【００５２】
さらに関係する態様では、干渉測定値を収集するステップ(ブロック320)は、干渉測定値を直接測定するステップ(ブロック390)を伴い得、および/または干渉測定値を収集するステップは、モバイルデバイスの1つまたは複数から干渉測定値を受信するステップ(ブロック392)を含む。
【００５３】
一例では、ネットワークエンティティが無認可帯域内のLTEスモールセルなどを含む場合、ブロック310〜392のうちの1つまたは複数は、図2に示すように、基地局110のコントローラ/プロセッサ240、メモリ242、スケジューラ244、受信プロセッサ238、および/または送信プロセッサ220によって実行され得る。別の例では、ネットワークエンティティがデュアル機能基地局を含む場合、ブロック310〜392のうちの1つまたは複数は、図1Bに示される、NSC無線モジュール130、WLAN無線モジュール140、またはその構成要素によって実行され得る。
【００５４】
図5を参照すると、ネットワークノード選択のための、UE、ネットワークエンティティ、もしくは他の適したエンティティとして、またはUE、ネットワークエンティティ、もしくは他の適したエンティティ内で使用するためのプロセッサ、構成要素、もしくは類似のデバイスとして構成され得る例示的な装置500が提供される。装置500は、プロセッサ、ソフトウェア、またはその組合せ(たとえばファームウェア)によって実施される機能を表し得る機能ブロックを含み得る。
【００５５】
図示されるように、一例では、装置500は、RAT1を使用して第1のモードで動作するための電気的構成要素またはモジュール502を含み得る。装置500は、第1のモードである間、少なくとも1つのモバイルデバイスに対する、またはモバイルデバイスからの干渉についての干渉測定値を収集するための電気的構成要素またはモジュール504を含み得る。装置500は、第2のモードに切り替え、RAT2を使用するための電気的構成要素またはモジュール506を含み得る。装置500は、第2のモードのネットワークエンティティによって引き起こされる、または経験される干渉を最小化するために第1のモードからの干渉測定値を使用するための電気的構成要素またはモジュール508を含み得る。
【００５６】
関連する態様では、装置500は、ネットワークエンティティとして構成されている装置500の場合、少なくとも1つのプロセッサを有するプロセッサ構成要素510を任意選択で含み得る。そのようなケースでは、プロセッサ510は、バス512または類似の通信結合を介して、構成要素502〜508または類似の構成要素と動作可能に通信し得る。プロセッサ510は、電気構成要素またはモジュール502〜508によって実施されるプロセスまたは機能の開始およびスケジューリングを実施し得る。
【００５７】
別の関連する態様では、装置500は、他のネットワークエンティティと通信するためのネットワークインターフェース構成要素514を含み得る。任意選択で、装置500は、たとえばメモリデバイス/構成要素516などの情報を格納するための構成要素を含み得る。コンピュータ可読媒体またはメモリ構成要素516は、バス512などを介して装置500の他の構成要素に動作可能なように結合され得る。メモリ構成要素516は、構成要素502〜508、そのサブコンポーネント、またはプロセッサ510の活動を実施するためのコンピュータ可読命令およびデータを格納するように適合され得る。メモリ構成要素516は、構成要素502〜508に関連する機能を実行するための命令を保持し得る。メモリ516の外部として示されているが、構成要素502〜508はメモリ516内に存在し得ることを理解されたい。
【００５８】
様々な異なる技術および技法のいずれかを使用して情報および信号が表現され得ることを当業者なら理解されよう。たとえば上記説明全体を通して参照することができるデータ、命令、指令、情報、信号、ビット、記号およびチップは、電圧、電流、電磁波、磁場または粒子、光学場または粒子、あるいはそれらの任意の組合せによって表すことができる。
【００５９】
本明細書で本開示に関連して説明された様々な例示的論理ブロック、モジュール、回路、およびアルゴリズムステップが、電子ハードウェア、コンピュータソフトウェア、または両方の組合せとして実装され得ることを当業者ならさらに理解されよう。ハードウェアおよびソフトウェアのこの互換性を明確に示すために、種々の実例となる構成要素、ブロック、モジュール、回路、およびステップが、一般にそれらの機能の面から上記で説明されてきた。そのような機能性が、ハードウェアまたはソフトウェアのどちらとして実施されるのかは、具体的な適用例と、システム全体に課せられる設計制約とによって決まる。当業者は、説明された機能を各々の特定の応用分野について様々な方式で実装し得るが、そのような実装判断は、本開示の範囲からの逸脱を引き起こすと解釈されるべきではない。
【００６０】
本明細書の開示に関連して説明される様々な例示的論理ブロック、モジュール、および回路は、本明細書で説明される機能を実施するように設計された汎用プロセッサ、デジタル信号プロセッサ(DSP)、特定用途向け集積回路(ASIC)、フィールドプログラマブルゲートアレイ(FPGA)または他のプログラマブル論理デバイス、ディスクリートゲートまたはトランジスタロジック、ディスクリートハードウェア構成要素、あるいはそれらの任意の組合せとともに実装または実施され得る。汎用プロセッサはマイクロプロセッサでよいが、別の方法として、プロセッサは、任意の従来型プロセッサ、コントローラ、マイクロコントローラまたはステートマシンでよい。プロセッサは、たとえばDSPとマイクロプロセッサの組合せ、複数のマイクロプロセッサ、DSPコアと連結した1つまたは複数のマイクロプロセッサ、または任意の他のこのような構成など、コンピューティングデバイスの組合せとしても実装されてよい。
【００６１】
1つまたは複数の例示的設計では、説明される機能は、ハードウェア、ソフトウェア、ファームウェア、またはそれらの任意の組合せで実装され得る。ソフトウェアで実装される場合、機能は、コンピュータ可読媒体上に1つまたは複数の命令またはコードとして格納または送信され得る。コンピュータ可読媒体は、コンピュータ記憶媒体と、コンピュータプログラムの1つの場所から別の場所への転送を容易にする任意の媒体を含む通信媒体との両方を含む。記憶媒体は、汎用または特殊用途コンピュータによってアクセスされ得る任意の使用可能な媒体であってもよい。限定的ではなく、一例として、そのようなコンピュータ可読媒体は、RAM、ROM、EEPROM、CD-ROMもしくはその他の光ディスク記憶装置、磁気ディスク記憶装置もしくはその他の磁気記憶装置、または所望のプログラムコード手段を命令もしくはデータ構造の形態で搬送または記憶するために使用され得、汎用もしくは特殊用途コンピュータ、または汎用もしくは特殊用途プロセッサによってアクセスされ得る任意の他の媒体を備えることができる。また、送信される信号の非一時的な記憶を伴う限り、任意の接続がコンピュータ可読媒体と適切に呼ばれ得る。たとえば、ソフトウェアが、同軸ケーブル、光ファイバケーブル、ツイストペアケーブル、デジタル加入者線(DSL)、または赤外線、無線、およびマイクロ波などのワイヤレス技術を使用してウェブサイト、サーバ、またはその他の遠隔のソースから送信される場合、同軸ケーブル、光ファイバケーブル、ツイストペアケーブル、DSL、または赤外線、無線、およびマイクロ波などのワイヤレス技術は、任意の非一時的な時間の長さの間、信号が記憶媒体またはデバイスメモリ上の送信チェーンに保持される限り、媒体の定義に含まれる。本明細書で使用する場合、ディスク(disk)およびディスク(disc)は、コンパクトディスク(disc)(CD)、レーザディスク(登録商標)(disc)、光ディスク(disc)、デジタル多用途ディスク(disc)(DVD)、フロッピー(登録商標)ディスク(disk)およびブルーレイディスク(disc)を含み、ディスク(disk)は、通常、データを磁気的に再生し、ディスク(disc)は、データをレーザで光学的に再生する。上記のものの組合せも、コンピュータ可読媒体の範囲内
に含まれるべきである。
【００６２】
本開示の前述の説明は、いかなる当業者も本開示を作製または使用できるようにするために提供される。本開示に対する様々な修正形態が当業者には容易に明らかとなり、本明細書で定義する一般原理は、本開示の趣旨または範囲から逸脱することなく、他の変形形態に適用され得る。したがって、本開示は、本明細書で説明する例および設計に限定されるものではなく、本明細書で開示する原理および新規の特徴に合致する最も広い範囲を与えられるべきである。
【符号の説明】
【００６３】
100  ワイヤレス通信ネットワーク
102  マクロセル
103  NSC
104  サービスエリア
105  サービスエリア
110  基地局
110  eNB
112  基地局
113  コントローラモジュール
115  LTE-Uスモールセル(SC)
120  UE
125  UE
130  NSC無線モジュール
130  ネットワークコントローラ
132  送信機(TX)構成要素
134  受信機(RX)構成要素
136  プロセッサ構成要素
138  干渉測定構成要素
140  WLAN無線モジュール
142  TX構成要素
144  RX構成要素
146  プロセッサ構成要素
150  無認可帯域
152  UE
154  LTE-U SC
156  AP
158  STA
212  データソース
220  送信プロセッサ
230  送信(TX)多入力多出力(MIMO)プロセッサ
232  変調器(MOD)
234  アンテナ
236  MIMO検出器
238  受信プロセッサ
239  データシンク
240  コントローラ/プロセッサ
242  メモリ
244  スケジューラ
252  アンテナ
254  復調器(DEMOD)
256  MIMO検出器
258  受信プロセッサ
260  データシンク
262  データソース
264  送信プロセッサ
266  TX MIMOプロセッサ
280  コントローラ/プロセッサ
282  メモリ
300  方法
500  装置
502  電気的構成要素
504  電気的構成要素
506  電気的構成要素
508  電気的構成要素
510  プロセッサ構成要素
512  バス
514  ネットワークインターフェース構成要素
516  メモリデバイス/構成要素
【図１Ａ】
0006373988.tif 000002
【図１Ｂ】
0006373988.tif 000003
【図１Ｃ】
0006373988.tif 000004
【図１Ｄ】
0006373988.tif 000005
【図２】
0006373988.tif 000006
【図３】
0006373988.tif 000007
【図４Ａ】
0006373988.tif 000008
【図４Ｂ】
0006373988.tif 000009
【図５】
0006373988.tif 000010